(57)【要約】      （修正有）【課題】内容物の保存または保護のための密閉性と使用時のイージーオープン性を有する密閉包装容器において、容易に開封し内容物を取り出すとともに再封して残りの内容物を一定期間保管できる包装容器を提供すること。【解決手段】密封包装容器において、包装容器の側面フランジ部に開封口及びノッチを設け、開封部分よりも広い範囲に蓋材に貼付したラベルを活用することにより、開封後に再封できる包装容器を得ることができる。ラベルは２分割したものや２層構造をとったものも有用である。【選択図】図１
2005067646.tif 000002
【特許請求の範囲】
【請求項１】
蓋材及び底材となる樹脂製のフィルム又はシートを必要に応じて成形し、シール面を合わせてシールすることにより形成され、シール部分に連続して設けられている開封口となる未シール部分の底材と蓋材、或いは蓋材のみを開封つまみとするイージーオープンタイプの密封包装容器であって、蓋材に貼付されたラベルを利用して開封後に再封できることを特徴とする包装容器。
【請求項２】
ラベルに開封方向に沿ったスリットを設けて２分している請求項１記載の包装容器。
【請求項３】
開封部分より大きな範囲にラベルを貼付した請求項１記載の包装容器。  
【請求項４】
側面フランジ部に開封口を設け、その両側にノッチまたは切り込みを設けることにより、容器の側面フランジ部に対して垂直方向に蓋材を引裂きながら開封する請求項２又は３記載の包装容器。
【請求項５】
ラベルが２層構造であり、下層側のみに開封口の両側のノッチまたは切り込み各々と片側の端部が接する２本のスリットを開封方向に沿って設けている請求項４記載の包装容器。  
【請求項６】
ラベルが２層構造であり、下層側のみに開封口の両側のノッチまたは切り込み各々を片側の端部が挟むように近接する２本１組のスリットを開封方向に沿って２組設けている請求項４記載の包装容器。  
【発明の詳細な説明】
【技術分野】
【０００１】
本発明は食品、医薬品等の包装分野において内容物の保存性や保護のために樹脂製のフィルムまたはシートを底材として必要により成形した容器本体にシートまたはフィルムの蓋材をシールすることにより密封し、使用時に容易に開封できる所謂イージーオープンタイプの密封包装容器であり、かつ開封後に再封できる包装容器に関するものである。
【背景技術】
【０００２】
イージーオープンタイプの密封包装容器は内容物の保存性や保護のための安定した密封性が要求されると共に、使用時に容易に開封できることが要求され、蓋材または底材のシール層を中心として樹脂の配合処方を検討することにより、シール界面の剥離、シール層と隣接層の界面での剥離、シール層の凝集剥離が安定して得られるように設計され、良好に使用されてきた。
【０００３】
これらのイージーオープンタイプの密閉包装容器は、通常カップ等丸い本体形状のものはフラ
ンジの一部を凸型とすることにより、トレイ、真空包装等の四角い本体形状のものはコーナーのフランジ部を活用することにより、開封口を形成して、容易に開封し使用されてきた。
【０００４】
包装された内容物は開封時に一度に使い切らずに数回に分けて使用されるものが少なくなく、残りを別の容器に移して蓋をして保管したり、ラップやポリ袋で仮包装して保管するなどの対応をせざるを得ず、手間が掛かることから、例えば特許文献１のように感圧接着剤層を開封のための切れ線加工部を覆うように設けて、開封後に蓋材を繰り返し貼り付けて再封することができる包装容器が考案された。
【０００５】
しかし、熱シールによる包装容器への加工とは別に感圧接着剤を所定の範囲に設けるために加工が複雑となり、またコストアップとなるために、底材となるフィルムまたはシート及び蓋材フィルムから加熱成形及び熱シールにより連続して内容物を充填しながら包装容器を製造する工程に導入することは困難であった。
【特許文献１】特開２００２−０３７３０２号公報
【発明の開示】
【発明が解決しようとする課題】
【０００６】
本発明の目的とするところは内容物の保存または保護のためのイージーオープンタイプの密封包装容器において、使用時に開封口を活用して容易に確実に開封できるとともに開封後再封できる包装容器を提供することを目的とする。
【課題を解決するための手段】
【０００７】
本発明は、
(1)  蓋材及び底材となる樹脂製のフィルム又はシートを必要に応じて成形し、シール面を合わせてシールすることにより形成され、シール部分に連続して設けられている開封口となる未シール部分の底材と蓋材、或いは蓋材のみを開封つまみとするイージーオープンタイプの密封包装容器であって、蓋材に貼付されたラベルを利用して開封後に再封できることを特徴とする包装容器、
(2)  ラベルに開封方向に沿ったスリットを設けて２分している包装容器、
(3)  開封部分より大きな範囲にラベルを貼付した包装容器、 
(4)  側面フランジ部に開封口を設け、その両側にノッチまたは切り込みを設けることにより、容器の側面フランジ部に対して垂直方向に蓋材を引裂きながら開封する包装容器、
(5)  ラベルが２層構造であり、下層側のみに開封口の両側のノッチまたは切り込み各々と片側の端部が接する２本のスリットを開封方向に沿って設けている包装容器、
(6)  ラベルが２層構造であり、下層側のみに開封口の両側のノッチまたは切り込み各々を片側の端部が挟むように近接する２本１組のスリットを開封方向に沿って２組設けている包装容器、
である。
【発明の効果】
【０００８】
本発明に従うと、内容物の保存または保護のための密閉性と使用時に開封が容易であるイージーオープン性を有する密閉包装容器において、開封口を活用して開封するとともに容易に再封して内容物を必要量だけ使用できる包装容器を得ることが出来る。
【発明を実施するための最良の形態】
【０００９】
本発明は通常フォームフィルシールと呼ばれる、底材の成形工程、内容物の充填工程、真空またはガス置換するとともに蓋材と熱シールして密封する工程、最終製品形状への切断工程を連続して行う機械に適用して、開封口を設け蓋材に開封部分に対応したラベルを設けることにより、容易に実現でき効果的に用いられる。即ち、蓋材から剥離したラベルを、開封により剥離した蓋材と底材を密着させた状態にして貼り付けることにより容器を再封することができる。また、成形、充填、熱シール、切断の１工程または複数の工程を別ラインで実施する包装容器に対しても使用することができる。
本発明に使用するラベルは表示ラベルを兼ねて使用する為、コスト面の負担も小さく実用的である。基材及び粘着材の組成として汎用のものが用いられるが、剥離の際に破れないことから樹脂フィルム基材のものを用いることが好ましい。
【００１０】
２分したラベルを用いた場合、ラベルを剥離して２分割し、開封部分の両側にそれぞれ貼り付けることにより再封できる。また開封部分より大きな範囲にラベルを貼ることにより蓋材を開封すると同時に開封部分の周囲のラベルが未開封部分の蓋材から剥離し、開封した蓋材を元の位置に戻して周囲のラベルを未開封部分の蓋材に貼り付けることにより再封できる。
【００１１】
包装容器の側面フランジ部に設けた開封口及びノッチまたは切り込みを利用して、開封口を設けた包装容器側面から蓋材を垂直方向に引裂きながら開封することにより、包装容器のフランジより内側を帯状に剥がしてゆくため、包装容器を変形させずに安定した剥離状態で開封することができ、蓋材に貼ったラベルによる再封も安定して実施できる。
【００１２】
ラベルを２層構造として、下側の層のラベルに開封口の両側のノッチまたは切り込み各々から開封方向に２本のスリットを設けることにより、開封時にスリットの外側のラベルは層間で剥離する為、蓋材はラベルのスリットに沿って引裂かれて安定した開封口が得られ、剥離したラベルによる再封も安定して実施できる。
【００１３】
ラベルを２層構造として、下側の層のラベルに開封口の両側のノッチまたは切り込み各々を挟むように近接する２本１組のスリットを開封方向に沿って２組設けることにより、開封時に１組の２本のスリットのどちらかを境として外側のラベルは層間で剥離する為、蓋材は１組の２本スリットのどちらかに沿って引裂かれて安定した開封口が得られ、剥離したラベルによる再封も安定して実施できる。蓋材に貼付するラベルの位置が多少ずれても開封口から引裂かれる蓋材が１組の２本のスリットの間の位置であれば良好に開封及び再封ができる。
【００１４】
本発明に用いられるフィルム及びシートは特に限定されるものではなく、イージーオープンタイプの包装容器の材料として公知のものを使用することが出きるが、蓋材として開封口を設けた包装容器側面から垂直方向に、即ちフィルムの幅方向に引裂き易い特性のものを用いることが好ましい。必要に応じて、開封口を設けた包装容器側面から開封方向に蓋材にスリットやミシン目などフィルムがその部分で裂けやすくなる加工を施すこともできる。
【実施例１】
【００１５】
図１は実施例１の蓋材側上方から見た平面図であり、図２は開封時の蓋材側上方から見た平面図である。即ち包装容器側面に設けた開封口の蓋材１の両端から図１の通り蓋材に２本のハーフカットのスリット２を設け、スリット間の最大値よりも２０ｍｍ広い縦寸法、包装容器幅より２０ｍｍ狭く内容物の直径よりも３０ｍｍ広い横寸法のラベル３を蓋材に貼付した。開封口の蓋材１を包装容器側面に対し垂直方向に剥離することによりスリット部から蓋材が裂けて２本のスリットの内側の部分のラベルは蓋材と貼り付いたまま開封し、２本のスリットの外側の部分のラベルは蓋材から剥離して粘着面が露出する。内容物を必要量取り出した後、蓋材を開封前の位置に戻して２本のスリットの外側の部分のラベルを未開封部分の蓋材に圧着することにより再封することができた。
【実施例２】
【００１６】
図３は実施例２の蓋材側上方から見た平面図であり、図４は開封時の蓋材側上方から見た平面図である。即ち包装容器側面に設けた開封口の蓋材４の両側にノッチ５を設け、ノッチ間よりも３０ｍｍ広い縦寸法、包装容器と同じ横寸法のラベル６を図３の通り蓋材に貼付した。開封口の蓋材４を包装容器側面に対し垂直方向に剥離することにより蓋材が裂けて開封し、開封部より外側の蓋材にとラベルは剥離して粘着面が露出する。内容物を必要量取り出した後、蓋材を開封前の位置に戻して開封部より外側のラベルを未開封部分の蓋材に圧着することにより再封することができた。尚、蓋材としてドライラミネートにより製造したＯＰＰ（２０μｍ）／酸化ケイ素蒸着Ｏ−ＰＥＴ（１２μｍ）／１軸延伸ポリエチレンフィルム（３０μｍ）を使用した。
【実施例３】
【００１７】
図５は実施例３の蓋材側上方から見た平面図であり、図６は開封時の蓋材側上方から見た平面図である。即ち開封口の蓋材７の両側にノッチ８を設け、２層構造であり下層側にノッチ間と同じ幅のスリット１０を設けたノッチ間よりも２０ｍｍ広い縦寸法、包装容器と同じ横寸法のラベル９を図５の通り蓋材に貼付した。開封口の蓋材７を包装容器側面に対し垂直方向に剥離することにより蓋材が下層側のラベルのスリットに沿って裂けて開封し、スリットの内側のラベルは２層とも蓋材と貼り付いたまま開封し、スリットの外側の部分のラベルは層間で剥がれて下層側は未開封部分の蓋材に貼り付いたまま残り、上層側のラベルの粘着面が露出する。内容物を必要量取り出した後、蓋材を開封前の位置に戻して開封部より外側の上層側のラベルを未開封部分の蓋材に残った下層側のラベルに圧着することにより再封することができた。尚、蓋材としてドライラミネートにより製造したＯＰＰ（２０μｍ）／酸化ケイ素蒸着Ｏ−ＰＥＴ（１２μｍ）／１軸延伸ポリエチレンフィルム（３０μｍ）を使用した。
【産業上の利用可能性】
【００１８】
本発明の包装容器は内容物の保存性、保護の為の密閉性に優れるとともに、使用時に容易に開封して内容物を必要量取り出せ、食品、医薬品等の消費者への流通形態として広く使用することができ、開封後に容易に再封できることから使い切るまでの一定期間の保管容器としても活用することができる。
【図面の簡単な説明】
【００１９】
【図１】は実施例１の蓋材側上方から見た平面図である。
【図２】は実施例１の開封時の蓋材側上方から見た平面図である。
【図３】は実施例２の蓋材側上方から見た平面図である。
【図４】は実施例２の開封時の蓋材側上方から見た平面図である。
【図５】は実施例３の蓋材側上方から見た平面図である。
【図６】は実施例３の開封時の蓋材側上方から見た平面図である。
【符号の説明】
【００２０】
１  開封口の蓋材
２  ハーフカットのスリット
３  ラベル
４  開封口の蓋材
５  ノッチ
６  ラベル
７  開封口の蓋材
８  ノッチ
９  ２層構造のラベル
１０  下層のラベルのスリット
【図１】
2005067646.tif 000003
【図２】
2005067646.tif 000004
【図３】
2005067646.tif 000005
【図４】
2005067646.tif 000006
【図５】
2005067646.tif 000007
【図６】
2005067646.tif 000008